(57)【要約】  本発明は、ブリーチキャリア（１）と、複数のブリーチラグ（１０４）を有して装着されるブリーチヘッド（１００）と、複数のロッキングラグ（２０４）を有するロッキング要素（２００）とを備えた回転ラグブリーチに関する。後方に面するカムセクション（２０８）は、ロッキングラグ（２０４）上のロッキング要素（２００）内に形成される。ブリーチヘッド（１００）が解除されたときには、上記カムセクションは、制御ブリーチラグ（１０４ｈ’）上に対応して形成された前方に面する制御セクション（１３２）によりブリーチラグ（１０４）の後端面（１０６）がロッキングラグ（２０４）の前端面（２０６）から取り外される解除運動を、ブリーチヘッド（１００）のスクリュー運動に変換し、スクリュー運動の間に制御セクション（１３２）がカムセクション（２０８）上に支持される薬室からブリーチヘッド内に保持されるカートリッジケースを解除するようにする。ロック中、カムセクションは、ブリーチキャリア（１）の制御ゲート（６０）内の制御ピン（１０２）を軸方向停止部（７０）から制御位置に回転させる事前制御機能を実施し、該制御位置において、制御ゲート（６０）が制御ピン（１０２）とロッキング縁部（６２）にて係合し、ブリーチキャリア（１）がブリーチヘッド（１００）に対して前方に移動したときに、ブリーチヘッド（１００）に回転運動量を作用させ、これによりブリーチヘッドの線形送り運動をスクリュー運動によりロック運動に変換する。【選択図】      図１
2013519062.tif 000002
【特許請求の範囲】
【請求項１】
ボルトキャリア（１）と、複数の）を有して配置されるボルト（１００）と、複数のロッキングラグ（２０４）を有するレシーバ（２００）とを備えた回転ラグブリーチであって、前記レシーバ（２００）内のロッキングラグ（２０４）上に後方に面するカムセクション（２０８）が形成され、前記ボルト（１００）を解除したときに、前記ブリーチラグ（１０４）の後端面（１０６）が前記ロッキングラグ（２０４）の前端面（２０６）から解除される解除運動を、制御ブリーチラグ（１０４ｈ’）上で対応して前方に向けて形成された制御セクション（１３２）を介して前記ボルト（１００）のスクリュー運動に変換して、前記ボルト（１００）内に保持されたカートリッジシェルを薬室から解除するようにし、前記スクリュー運動において、前記制御セクション（１３２）は前記カムセクション（２０８）上に支持され、ロック中は前記カムセクション（１３２）が前記制御セクション（１３２）にて係合して事前制御機能を実行し、該事前制御機能が、前進する前記ボルトキャリア（１）が前記ボルトに角運動量を作用させない解除位置から前記制御ゲート（６０）が前記制御ピン（１０２）上でロックフランク（６２）と係合する制御位置まで前記ボルトキャリア（１）の制御ゲート（６０）において制御ピン（１０２）を回転させ、前記ボルトキャリア（１）が前記ボルト（１００）と共に前方に移動して、最初に前記ボルト（１００）に角運動量を作用させ、次いで、スクリュー運動による前記ボルト（１００）の線形送り運動をロック運動に転換し、前記ロック運動において前記ボルト（１００）及び前記ボルトキャリア（１）が互いに相対移動することを特徴とする回転ラグブリーチ。
【請求項２】
前記ブリーチラグ（１０４）が前記ボルト（１００）の円筒シャフト面（１０５）から半径方向に延び、その外径が、半径方向内向きに面する前記ロッキングラグ（２０４）のヘッド面（２０３）間のボア（ｗ）と整列し、前記ヘッド面（２０３）が前記円筒シャフト面（１０５）上の軸方向誘導に作用し、従って、前記レシーバ（２００）内で前記ボルト（１００）がロック及び解除運動を実施する間前記ボルト（１００）の横方向偏位を制限することを特徴とする請求項１に記載の回転ラグブリーチ。
【請求項３】
前記制御ピン（１０２）が、前記ブリーチ前進中に解除位置を呈し、後方端面にて前記ボア軸に対して横方向に延びる前記制御ゲート内の停止面上に載り、前進する前記ボルト（１００）が該ボルト（１００）に対する角運動量を作用しないことを特徴とする請求項１から２の何れかに記載の回転ラグブリーチ。
【請求項４】
全体として作用する前記ロックの端面（１０６、２０６）又はブリーチラグ（２０４、１０４）は、自己制限ネジ作用が前記端面（１０６、２０６）間で得られるように選択された、前記ボア軸（２４）への螺旋傾斜を有することを特徴とする請求項１〜３の何れかに記載の回転ラグブリーチ。
【請求項５】
前記ロッキング及びブリーチラグ（２０４、１０４）が縦に並んで少なくとも２列で配置されることを特徴とする前記請求項１〜４の何れかに記載の回転ラグブリーチ。
【請求項６】
前記少なくとも２つの隣接するロッキングラグ（２０４ａ、２０４ｂ）が、前記制御ブリーチラグ（１０４ｈ’）の対応する機能面（１１１、１０９ａ、１３２、１０９ｂ）と係合するガイドチャンネル（２０９）を定める機能面（２０５、２０７ａ、２０８、２０７ｂ）を有し、前記機能面（１１１、１０９ａ、１３２、１０９ｂ）がロック及び解除中に前記制御ブリーチラグ（１０４ｈ’）を誘導することを特徴とする前記請求項１〜５の何れかに記載の回転ラグブリーチ。
【請求項７】
前記ガイドチャンネル（２０９）が、前記隣接するロッキングラグ（２０４ａ、２０４ｂ）の互いに面する横方向面（２０７ａ、２０７ｂ）により形成され、前記ロッキングラグ（２０４ａ）のカム面（２０８）及び前記他のロッキングラグ（２０４ｂ）のガイド面（２０５）が制御セクション（２０８）に面する前方に向かって対角的に面していることを特徴とする請求項６に記載の回転ラグブリーチ。
【請求項８】
前記制御ブリーチラグ（１０４ｈ’）が、前記ガイド面（２０５）に対応して、後方に向けて対角的に面するガイドセクション（１１１）を有することを特徴とする請求項７に記載の回転ラグブリーチ。
【請求項９】
前記制御ピン（１０２）が、楔形の半径方向外向きに延びる断面を有し、前記制御ゲート（６０）の対応する楔形のガイド溝において解除位置で半径方向に固定され、前記ボルト（１００）がこの解除位置において前記ボルトキャリア（１）内で堅固に固定されることを特徴とする前記請求項１〜８の何れかに記載の回転ラグブリーチ。
【請求項１０】
前記ボルト（１００）が、エジェクタスロット（１００）により分離された２つのフィード突起（１０８）を有し、前記ブリーチ構成（１、１００）の前進中に前記カートリッジベースにて利用可能なカートリッジの後方に配置され、前記カートリッジを前記薬室内に送給することを特徴とする前記請求項１〜９の何れかに記載の回転ラグブリーチ。
【請求項１１】
前記ボルト（１００）が、前記ボア軸に沿って前記ブリーチラグの領域内に延びた陥凹部を有し、これにより円周部の周りで軸方向に保持される前記ボルトが、兵器本体における運動中にガイドトラック（１６、１８）により誘導することができることを特徴とする前記請求項１〜１０の何れかに記載の回転ラグブリーチ。
【請求項１２】
前記ボルトキャリア（１）内に配置されるキャリア構成要素（３２）と、
前記キャリア構成要素（３２）上に配置される制御構成要素（３４）と、
前記キャリア構成要素（３２）上に配置され、前記ブリーチガイドトラック（１６、１８）に沿って前記ボルトキャリア（１）を誘導する、ガイド構成要素（３６）と、
を備えたブリーチ誘導装置（３０）を有し、前記キャリア構成要素（３２）が、ボア軸に垂直に延びる対称軸を有し、ここで前記制御構成要素（３４）及び前記ガイド構成要素（３６）が同軸に配置されることを特徴とする前記請求項１〜１１の何れかに記載の回転ラグブリーチ。
【請求項１３】
前記請求項１〜４の何れかに記載の回転ラグブリーチを有する兵器。
【発明の詳細な説明】
【技術分野】
【０００１】
本発明は、ボルトキャリア及び多くのブリーチラグを有して配置されたボルトと、多くのロッキングラグを有するレシーバとを備えた回転ラグブリーチに関する。
【背景技術】
【０００２】
以下において、上、下、前方、後方、右、及び左などの方向に関する情報は、射手の観点からのエイミング（照準）位置で保持される兵器を基準とする。
【０００３】
回転ラグブリーチの基本的な目的及び基本機能は、発砲されるカートリッジ（弾薬）を銃弾の発射前に銃口又は銃身の薬室に安全に固定することからなる。ここで、発砲されることになるカートリッジが保持されるインパクトベース上のボルトは、取り付けソケットタイプにおいては回転運動によりボルトヘッド内に導入されて固定される。これは、いわゆるレシーバ内で半径方向内向きに配置されたいわゆるロッキングラグによって得られる。
【０００４】
その際に、ブリーチラグは、ボルトヘッド内のロッキングラグ間のギャップを通過し、ボルトヘッドのロッキングラグの列を通って薬室に入る。ボルトヘッドにおいてロッキングラグに対応するボルトギャップもまた形成され、これに沿ってロッキングラグがボルトヘッド内に挿入された後、ボルトがロッキングラグの列を通過することができる。レシーバにおけるボルトのその後の回転運動では、ブリーチラグがロッキングラグの後方に配置され、ブリーチラグの後方に面する端面は、ロッキングラグの後方に面する端面の正面にある。この位置でブリーチがロックされる。カートリッジが発砲されると、結果として生じる反動力が、インパクトベース、ボルト、ブリーチラグ、及びロッキングラグを通って、銃身に堅固に連結されたレシーバ内に向けられる。このようにすることで、発砲中又はその直後にブリーチが望ましくない様態で後方に移動するのが確実に阻止される。
【０００５】
自動小銃では、手動再装弾でなくブリーチ構成により新しい弾薬が導入され、ボルトは通常、ブリーチバネにより前方に押し付けられるボルトキャリア内に配置され、この反動作用の結果として発射ガス及びロッドによりブリーチバネの作用に抗して後方に押し付けられる。従って、ロック及び解除するためのボルトの回転運動は、ボルトキャリアとボルトとの間で動作するゲート制御により得られ、ボルトキャリアの運動よって制御されて、これによりボルトキャリアとボルトとの間の相対運動が誘起される。このブリーチによる基本的方法は、例えば、Ｍａｕｓｅｒ  ＭＧ  ３４、ＭＧ４、及びＨｅｃｋｌｅｒ  ＆  Ｋｏｃｈにより提供されるＳＬＢ２０００から公知である。他の回転ラグブリーチは、ドイツ特許ＤＥ１９６００４５９又は欧州特許ＥＰ０１８８６８１から公知である。
【０００６】
スイス特許ＣＨ５１１３１Ａ１は、ピッチ付きのブリーチ面を提示し且つ側壁上の対応するロック陥凹部に沿って滑動し、従って、ブリーチユニットの解除時には空のカートリッジシェルが排出されるようになった、ロッキングラグを有するストレートプル（直動式）ブリーチを示している。
【０００７】
ドイツ特許ＤＥ４１９８０３Ａは、反動制御される回転ラグブリーチを示しており、ここではロッキングラグが湾曲により回転運動から直線運動に移行される。
【０００８】
ドイツ特許ＤＥ１９６００４５９Ａ１は、回転ヘッドブリーチを示しており、ここでボルトは、列あたりに１２の数のラグがある、長手方向軸線上に列を成した２列のブリーチラグを有し、その横方向フランクがブリーチの長手方向軸線に沿って高ピッチのネジ山を定めている。その結果、レシーバ内でのボルトの解除及びロックにおいて、対角的に構成されたロッキングラグを備える場合、ブリーチラグ及びロッキングラグによりボルトの更なる回転運動が引き起こされ、制御ピンを所定位置にロックし、又はガイドスリーブ（ボルトキャリア）の半径方向又は円周方向に延びる安全溝から解除する
【０００９】
欧州特許ＥＰ０１８８６８１は、長手方向軸線で縦に並んだ２つの列のブリーチラグを有する回転ボルトを用いて、銃身の後縁での半径方向環状面に前進する回転ラグブリーチのブリーチラグへの反動の問題を扱っている。ここで、ブリーチ面の縁部は丸みが付けられ、射手の視点から見たときにボルト面の右手縁部が勾配付きになっている。このボルト面の勾配付けは、反動するブリーチ面に対しての安全間隙をもたらす役割を果たす。
【００１０】
回転ラグブリーチはまた、ブリーチ構成が全ての実質的な推進機能、特に、カートリッジベルトからの弾薬の装弾、空の発砲済みカートリッジシェルの取り出し及び確実な廃棄、並びに見出されるカートリッジ有する弾薬ベルトの移送を実施するマシンガンでも使用される。加えて、各射撃サイクルでは、発砲方向すなわちボア軸の方向と、例えばカートリッジベルト給弾動作において発砲方向を横断する方向で兵器の前後に実質的な質量体が移動する。更に、ボルトは、前後の回転運動を迅速に実施する。これらの運動が高速（高い発砲頻度）で行われる場合、実質的に長手方向又は横断方向、或いは回転方向の加速が生じ、発砲時に兵器が遊動するので手動装弾マシンガンにおいて照準精度が制限される。
【００１１】
しかしながら、発砲速度が低下し、その結果、ブリーチ速度及びこれによる加速が低下した場合、弾薬の再装弾及び給弾のために必要な作動力をもはや確実に加えることができず、兵器が故障する可能性がある。
【先行技術文献】
【特許文献】
【００１２】
【特許文献１】ドイツ特許ＤＥ１９６００４５９公報
【特許文献２】欧州特許ＥＰ０１８８６８１公報
【特許文献３】スイス特許ＣＨ５１１３１Ａ１公報
【特許文献４】ドイツ特許ＤＥ４１９８０３Ａ公報
【特許文献５】ドイツ特許ＤＥ１９６００４５９Ａ１公報
【特許文献６】米国特許ＵＳ２，３６４，５４８明細書
【特許文献７】米国特許ＵＳ２，７７５，９２０明細書
【発明の概要】
【発明が解決しようとする課題】
【００１３】
従って、本発明の目的は、全ての作動力、誘導力、及び制御力をできる限り小さくし、マシンガンの場合でも滑らかな発砲特性が得られ、命中率の改善及び照準精度の向上を可能にするようにしたブリーチ構成を提供することである。詳細には、１つの目的は、回転ラグブリーチに作用する加速及び作動力を低減し、これに伴って改善された回転ラグブリーチを提供することである。
【課題を解決するための手段】
【００１４】
この目的は、請求項１による回転ラグブリーチにより達成される。上記回転ラグブリーチは、銃身の薬室からカートリッジシェルを放出する解除機能が、ボルトとボルトキャリアとの間の相対運動によってのみ制御されるよう設計される。或いは、カムセクションがレシーバ内に生成され、ボルト上で対応して構築された制御セクションと共に作用する。
【００１５】
その結果、解除の途中で、ボルトキャリアとボルト間、或いは、制御ゲートと制御ピンとの間の相対運動の結果として、ボルトの回転運動がレシーバに対するスクリュー（前進）運動に変換され、ここでボルトの制御セクションは、レシーバ上でカムセクションと共に作用し、上記スクリュー運動を制御する。
【００１６】
スクリュー運動は、ボルトをレシーバから前進させて誘導する。その際に、カムセクションは、ボルトが制御セクション上に載る楔として作用し、制御ゲートを介して制御ピンに伝達されるトルクは、転動力に部分的に変換され、これにより変形したカートリッジシェルは、発砲後、緊密に詰め込まれていた場合でもボルトが完全な解除位置まで回転する前に薬室から円滑に放出できるようになり、ボルトキャリアから後方にレシーバの外に線形的に引き寄せられる。この解放機能は多数の利点がある。
１．空の発砲済みカートリッジが線形的に減速運動で薬室から「穏やかに」排出される。
２．カムセクション及び制御ゲートの解除フランクのピッチ又は降下勾配をそれぞれ適切に選択することで、力を増大させ、緊密に詰め込まれ又は重度に変形したカートリッジシェルであっても薬室から取り外すことを可能にするてこ作用を発生させることができる。
３．エキストラクターが主要な引き出し機能において保護され、その寿命が結果として有意に増大する。
【００１７】
引き出し力がカートリッジベースに、及びエキストラクター（引き出し）溝を介してカートリッジシェルに円滑に伝達されるので、戻りブリーチにより強く変形したカートリッジシェルのカートリッジベースが剥離され、カートリッジシェルの一部が薬室内で閉塞するリスクを低減することができる。この態様は、これに応じて備えられた兵器の発砲特性をより有意に円滑にし、これにより信頼性を向上させることができることに寄与する。製造においてより好ましい構成にすることに関して、カムセクションはロッキングラグ上に生成され、対応する制御セクションはブリーチラグ上に生成される。このようにして、この機能をレシーバ又はボルト上で調整することに関して構造を付加することなく得ることができる。
【００１８】
加えて、レシーバ内のカムセクションは、延長ボルトのロック段階中に、ボルトキャリアの制御ゲート内の衝突面に存在する制御ピンを制御設定にまで捩り、ボルトキャリアの制御ゲートが制御ピンを介してボルト上の角運動量を作用させ、これをレシーバに対して更に転回させてロック端部位置にするように配置され構築される。この事前制御機能はまた、機能上の信頼性を向上させ、兵器の処理特性を改善する。
【００１９】
請求項２によれば、ボルトヘッドは、前方領域において円筒シャフト面を介してレシーバ内で軸方向誘導を生じさせ、これは、ロッキングラグの内側に面するヘッド面によるものであり、適切な場合には、解除及びロック手順でボルトヘッドに作用する横方向の力を阻止し、上記ボルトヘッドを支持し、ボルトヘッドが捩れなしでレシーバ及びボルトキャリアに誘導されるようになり、その結果、極めて低いレベルの内部摩擦で全ての制御、事前制御のロック及び解除運動を実施することができる。従って、低速であっても、ブリーチシステムにおいてロッドにより導入されるエネルギーの十分な部分がベルト移送、ベルト取り出し、給弾、並びにシェルの取り出し及び廃棄に利用可能である。
【００２０】
請求項３による態様によれば、ボルトは、ロック手順が適用される前に前進ブリーチによる角運動量を受け取らず、兵器本体において実質的に力無しで対応するガイドトラックを前進することができる。これらのガイドトラックは、これにより例えばボルトの横方向フランク内のブリーチラグ間にギャップにおいて係合する。更に、この態様は、ボルトがレシーバに入ったときに偶然ではなく捩れ確実に押し込められるようにする。これは、特に複数の列を有する回転ラグブリーチで有利であり、これは、このようにしてボルトがロック位置まで回転する前にレシーバ内に完全に確実に挿入できることに起因する。
【００２１】
請求項４〜８による更なる開発は、ブリーチ機能、詳細にはボルトとレシーバ間、又はボルトとボルトキャリア間それぞれ（及び制御ゲートと制御ピンの間）での全体的作用を改善し最適化する他の特性に関する。
【００２２】
請求項４は、ボルトラグ又はブリーチラグそれぞれの全体的に作用する端面の傾斜又はピッチに関する。その際に、最終ロック又は主要解除それぞれは、平面内で生じず、むしろ限定ピッチを有する螺旋トラック上で生じる。これは、解除中、カートリッジを特に信頼性のある方式で薬室内に導入することができ、薬室に対して正確にボルトを位置付けることができる利点を有する。また、ロック運動の終わりでの反動作用がこれらの手段により導入される。
【００２３】
解除の途中で、このタイプの全体的に作用する端面の傾斜は、解除運動中に最初に両端面を互いに分離することができ、インパクトベースをカートリッジベースから分離することができ、その結果、インパクトベースとカートリッジベースとの間の拘束摩擦作用が生じない利点がある。従って、ボルトは、カートリッジシェルの周りでカートリッジの縁部と係合する引き出しクランプと共に移動でき、インパクトベースとカートリッジベースとの間の摩擦力又はロック端面間のこのような摩擦によっても解除運動が阻害されない。すなわち、ボルトは、上記で示されたカムセクション及びカートリッジシェルの制御セクションが薬室からてこの作用で動かされる前に、部分的に解除された位置に到達することができる。
【００２４】
請求項５によるブリーチラグの複数列構成によって、大きなロック面をブリーチ及びボルトラグの端面上に有する、特に小型で細長い回転ラグブリーチ設計が可能になる。
【００２５】
ロック及び解除中にボルトの誘導を更に改善するために、２つの隣接するロッキングラグ間に延びるガイドチャンネルが設けられ、解除及びロック中に制御ブリーチラグで係合するロッキングラグ上の対応する作動面によって定められる。このようにして、制御ブリーチラグは、所定の質量公差、及び適切な場合には基本的遊びを有してガイドチャンネル内に誘導され、ロック中の軸方向運動と回転方向運動との間、又は解除中の回転運動と軸方向運動との間の運動移行が制御ブリーチラグに正確に伝達され、運動移行中の反動作用が相殺されて運動の流れが影響を及ぼさないようになる（請求項６）。
【００２６】
この場合のガイドチャンネルは、２つの隣接するロッキングラグの２つの対面する横方向面によって生成され、一方のロッキングラグ上にカムセクションを、カムセクションに面する他方のロッキングラグ上に対角的に前方に面するガイド面を形成する。この構成により、制御ブリーチラグが２つのガイド面間で常に制御された方式で確実に誘導されるようになる。これは、２つの隣接するロッキングラグの横方向面間、又は一方のロッキングラグ上のカムセクションと、他方のロッキングラグ上のガイド面との間である。このようにして、ロッキング中の既に対処された事前制御の運動及び引き出しスクリュー運動（リフト機能）は、特に確実に良好に制御される（請求項７）。
【００２７】
請求項８による制御ブリーチラグの設計は、この誘導作用を改善する。
【００２８】
請求項９による態様は、最初に、兵器のボルトの誘導を改善し、次に、取り出されたブリーチ構成のボルトが、ボルトの着座位置から前身位置まで偶発的に乱暴にてこ作用を生じさせ、これによりボルトキャリアにおけるボルトの着座に損傷を与えることが確実にできないようにする。
【００２９】
ボルトの上側面上のエジェクタスロットにより分離されるフィード突起は、最初に、カートリッジベルトからカートリッジを解除する間及び薬室内での移送中に対称的カートリッジフィードを許容し、第２に、同時に兵器本体に中央に配置されるエキストラクターを許容し、その結果、対応する排出シャフトを通って正確に垂直下向きにカートリッジシェルを前進させることができる。
【００３０】
請求項１１による、ロッキングラグ間の陥凹部は、本体におけるブリーチ構成の誘導特性を改善し、ボルトがレシーバの外部にあるときにボルトの偶発的な回転運動を阻止する。請求項１２による追加して設けられたローラガイドは、ブリーチ構成全体、特にカートリッジ前進装置との接続において運動特性を改善し、該前進装置は、ブリーチ構成によって動力が得られ、ボルトキャリアと本体間の摩擦力が実質的に低減される。
【図面の簡単な説明】
【００３１】
【図１】前方からの対角的に見た、本発明による回転ラグブリーチを有するブリーチ構成の斜視図である。
【図２】後方から対角的に見た、図１に示すブリーチ構成である。
【図３】ブリーチ誘導構成の領域における兵器本体の断面である。
【図４】図１及び２に示すブリーチ構成を切った長手方向断面である。
【図５】図４に示すブリーチ構成の断面（Ａ−Ａ断面）である。
【図６ａ】ブリーチのロック／解除の連続した機能シーケンスを説明するためのブリーチラグ位置と関連する制御ピン位置の概略図である。
【図６ｂ】ブリーチのロック／解除の連続した機能シーケンスを説明するためのブリーチラグ位置と関連する制御ピン位置の概略図である。
【図６ｃ】ブリーチのロック／解除の連続した機能シーケンスを説明するためのブリーチラグ位置と関連する制御ピン位置の概略図である。
【図６ｄ】ブリーチのロック／解除の連続した機能シーケンスを説明するためのブリーチラグ位置と関連する制御ピン位置の概略図である。
【図６ｅ】ブリーチのロック／解除の連続した機能シーケンスを説明するためのブリーチラグ位置と関連する制御ピン位置の概略図である。
【図６ｆ】ブリーチのロック／解除の連続した機能シーケンスを説明するためのブリーチラグ位置と関連する制御ピン位置の概略図である。
【図６ｇ】ブリーチのロック／解除の連続した機能シーケンスを説明するためのブリーチラグ位置と関連する制御ピン位置の概略図である。
【図６ｈ】ブリーチのロック／解除の連続した機能シーケンスを説明するためのブリーチラグ位置と関連する制御ピン位置の概略図である。
【図６ｉ】ブリーチのロック／解除の連続した機能シーケンスを説明するためのブリーチラグ位置と関連する制御ピン位置の概略図である。
【図６ｊ】ブリーチのロック／解除の連続した機能シーケンスを説明するためのブリーチラグ位置と関連する制御ピン位置の概略図である。
【図６ｋ】ブリーチのロック／解除の連続した機能シーケンスを説明するためのブリーチラグ位置と関連する制御ピン位置の概略図である。
【図７】ボルトの側面図である。
【図７ａ】図７のボルトのブリーチラグの詳細図（詳細部Ｙ）である。
【図８】レシーバの後方及び長手方向断面（Ａ−Ａ）図である。
【発明を実施するための形態】
【００３２】
ここで図面を用いて本発明の例示的な実施形態を説明する。
【００３３】
図に示した例示的な実施形態は、ガス圧ローダとして構築される、図示していないマシンガンのブリーチ構成を示している。図１〜５では、実質的な構成要素は同一と見なすことができる。
【００３４】
ブリーチ構成は、兵器のガス吸入口（図示せず）にロッド２を介して前端にて結合されたボルトキャリア１を備える。ここで、ガス吸入口は、ピストン４の端面にてガス吸入口シリンダ（図示せず）を介してガス圧を生成し、該ピストンがロッド２を介してボルトキャリアに位置力を伝達して、本体６（図３を参照）内の当該ピストンを後方に押し付ける。
【００３５】
本体６（図３を参照）は、ブリーチガイドトラックとしての役割を果たすガイドトラック１２、１４、１６、１８を内部に有する２つの本体ケーシング８、１０によって形成され、ガイドトラックは、本体６においてその前後の運動でボルトキャリア１を誘導する。
【００３６】
これにより、下側ガイドトラック１２、１４は、ボルトキャリア１の左及び右側部上のガイド溝２０及び２２に係合し、該ボルトキャリア１を長手方向軸線上で水平方向に誘導し、すなわち、本体６のボア軸２４（図１及び２を参照）に沿って横断及び垂直軸線で固定される。
【００３７】
前方及び後方左ガイド溝２０と右ガイド溝２２との間にはガイドの無い中間スペース２１が形成されるので、誘導は低度の摩擦を生じ、汚染物質による影響をあまり受けない。爪状にガイドトラック１２及び１４を囲むガイド溝２０、２２により汚染物質が分離されてガイドトラック１２及び１４から除去され、実際の誘導領域に汚染物質が同伴できなくなる。このようにして、実際のガイド面及びこれにより結果として生じる摩擦力もまた最小限に維持される。ガイド溝２０及び２２がボルトキャリア１の前端及び後端にてペアでそれぞれ配置されるので、当該ボルトキャリアは、長さ全体にわたって支持され、傾斜することなく本体に挿入される。
【００３８】
加えて、ボルトキャリア１は、キャリア構成要素の形態でガイドシャフト３２を備えたブリーチ誘導装置３０を上側後端に有し、ガイドシャフト３２は、制御構成要素としての役割を果たす制御ローラ３４をその上端にて回転可能に収容して、ガイド構成要素としての機能を果たし且つボルトキャリア１の側陥凹部２６内に軸方向に挿入されるガイドローラ３６を通過し、側陥凹部２６はまた、ガイドシャフト３２上に回転可能に着座し、且つボルトキャリア１のサイドチークにわたって横方向に延びる。ガイドシャフト３２、制御ローラ３４、及びガイドローラ３６は、ボア軸２４に垂直に延びる対称軸３３に対して動軸方向に配置される。ガイドシャフト３２自体は、ボルトキャリア１のレセプタ開口３８に軸方向に変位可能に着座し、バネ４０により上向きに押し付けられ、レセプタとしての役割を果たすボルトキャリア１内でバネ圧に抗して下向きに押し付けることができる。軸方向位置決め経路は、ガイドシャフト３２の外面上で陥凹部４２により定められ、ここではボルトキャリア１を横方向に通過する保持ピン４４が停止部を形成する。従って、ガイドシャフト３２は、陥凹部４２の上側及び下側衝突面の間で保持ピン４４に抗して変位することができ、これにより、ガイドシャフト３２がバネ４０により上向き及びレセプタ開口３８から外方に押されるのが阻止される。制御ローラ３４は、ガイドシャフト３２の上側端部にてスタッド４６及びスペーサ４８により回転可能に固定される。
【００３９】
図示の例示的な実施形態において、制御ローラ３４（制御構成要素）は、湾曲レバー５０のＵ字制御ゲートにて係合し、これにより制御ローラ３４は、その球状円周面で横アーム５２及び５４の内側フランクに交互に係合する。従って、制御ローラ３４は、前後方向に延びるボルトキャリア１用作動カムとして機能し、ボア軸２４に対して直角で湾曲レバーを前後に移動させ、その結果、カートリッジ前進機構を駆動させる。湾曲レバー５０は、横方向の力を運動方向に応じてアーム５２、５４を介して制御ローラ３４に伝達し、これによりガイドシャフト３２を介してボルトキャリア１に伝達され、該ボルトキャリア１は、横方向の力の結果として本体６に向かって右又は左に傾斜される。これらの横方向の力が軸線２４に沿ったボルトキャリア１の誘導特性及び移動性を制限しないために、ガイドトラック１６及び１８それぞれの上の同様の球状ガイドローラ３６がこれら横方向の荷重を本体６に対して転動しないように伝達する。ガイド溝２０及び２２は、ガイドトラック１２及び１４の傾斜により押し込められない。制御ローラ３４の制御及び移送機能は、本体６におけるボルトキャリア１の運動に対して限定的な減速摩擦作用のみを引き起こすと考えることができる。
【００４０】
球状ローラ３４、３６としてそれぞれのこれらのガイド又は制御構成要素を実施することにより、特に円滑な誘導が確保される。例えば、右アーム５２が、制御フランクを介して左に向けて作用する力を制御ローラ３４の右側に加える場合、ガイドローラ３６は左ガイドトラック１６のガイドフランク上の左側に載っている。すなわち、ローラ３４、３６は、対向するフランクにて反対方向に転動する。ガイドトラック１６及び１８の対向フランクとアーム５２及び５４との間に適切な遊び又は間隔を設けることによって特に円滑なガイドが得られる。ローラ３４、３６の球状の非転動面により、ボルトキャリア１の僅かに傾斜した位置であっても正確な非転動動作が確保され、更にガイドトラック１６、１８のガイドフランク及び湾曲レバー５０の脚部５２、５４の内側フランク上の非転動面との僅かに傾斜した位置で転動する。
【００４１】
湾曲レバー５０は、回転してヒンジ動作可能に開くことができるカバー５６内に配置され、基本的な前進機構（図示せず）に対応する。ガイドシャフト３２は、制御ローラ３４によりバネ４０を介してボルトキャリア１内に格納できるように設計されているので、カバーは、湾曲レバー５０又は制御ローラ３４がこれにより損傷を受ける恐れもなく、任意のブリーチ位置で閉鎖することができる。アーム５２、５４の一方が制御ローラ３４上の端部に達した場合、ガイドシャフト３２と共にボルトキャリア１のレセプタ開口３８に押し込まれることになる。ボア軸２４に沿ったボルトキャリア１の装填運動において、制御ローラ３４の上側端面は、バネ４０作用の結果として制御ローラ３４が湾曲レバー５０のトラック内に再び完全に入るまでアーム５２、５４の一方の下側端面に沿って滑動する。
【００４２】
制御ローラ３４及びガイドローラ３６の転動特性を改善するために、ガイドシャフトの外面及び／又は制御ローラ３４及びガイドローラ３６の内面は、特に円滑な面を呈するようにすることができる（コーティング処理による）。また、好適なローラ軸受により制御ローラ３４及びガイドローラ３６をその一部としてガイドシャフト３２に接続することもできる。他の実施形態（図示せず）では、ローラ軸受は、本体６におけるボルトキャリア１の運動中にガイドトラック１２、１４、１６、１８に対する摩擦抵抗を更に低減するためにガイド溝２０及び２２の領域内に設けてもよい。ローラ（制御ローラ３４、ガイドローラ３６）の代わりに制御／ガイド構成要素を設けて、ガイドシャフト（３２）に対して同様に移動／変位することができるガイドフランク又は湾曲レバーの内側フランクと滑動可能に係合させた実施形態もある。このような構成要素は、ボア軸（２４）にわたって延びる対称平面及び対称軸（３３）に対して、少なくとも折り畳み可能に対称である。
【００４３】
図示のブリーチ構成は、いわゆる回転ラグブリーチを備えており、ここではボルト１００が軸方向に変位可能であり、ロック位置と解除位置との間でボルトキャリア１の上側面上のガイドスリーブ５８で回転できるように収容されている。その前端では、ボルト１００は、縦に並んだ２つの円において４つの前方ブリーチラグ１０４ｖ及び４つの後方ブリーチラグ１０４ｈを支持し、これらは、１時と２時の位置、４時と５時の位置、７時と８時の位置、及び１０時と１１時の位置の間で互いに縦に並んでペア（クロック面の向きの場合）でそれぞれ配置される。ロッキングラグ１０４ｖ、１０４ｈの間には、長手方向に延びる横方向ギャップが設けられ、レシーバ２００におけるロック機能及び本体６内のボルト１００の誘導に役立つ。
【００４４】
図示のブリーチ構成は、オープンボルト兵器用に提供されており、ここではブリーチ構成全体が発砲前に装填されて発砲時に前進する弾薬の後方に配置され、弾薬室／薬室（ここでは図示していない）内に弾薬を送給し、そこでブリーチをロックした後に作動される。
【００４５】
図１、２、４、及び５では、ボルト１００は解除位置にあり、図６ｄ〜ｆではロック位置にある。ブリーチ構成が本体６内で移動すると、ボルト１００は、ロッキングラグ１０４ｖと１０４ｈとの間の２つの横方向ギャップ（９時と３時の時計位置）において延びるガイドトラック１６及び１８により解除位置から意図しない捩れに抗して誘導される。
【００４６】
更に、２つのフィード突起部１０８が、１２時の時計位置のボルト１００の前端に設けられ、これらの突起間にエジェクションスロット１１０が延びる。これらのフィード突起１０８は、カートリッジの給弾に役立ち、本体上に堅固に配置されたエジェクタ図示せず）は、空の発砲済みカートリッジシェルを後方に移動したときに兵器の外に排出する（以下を参照）。フィード突起１０８のペアは、兵器内の弾薬の移送中のカートリッジの安定的な誘導を可能にする。
【００４７】
ボルト１００の回転運動は、下向きに延びる制御ピン１０２（図４、５、及び７を参照）を介して伝達され、ボルトキャリアの制御ゲート６０内に延び、ここでボルトキャリア１に対するボルト１００の相対運動により運動方向及び兵器の作動状態に応じて様々な回転位置に偏位される。ここで、制御ゲート６０は、前方線形誘導領域６６と、後方線形誘導領域６８とを有し、これらは、ロック用の制御フランク６２及び解除用の制御フランク６４を介して互いと統合される。前方線形誘導領域６６の後端では、平坦な衝突面７０がボア軸２４に対して直角で生成され、制御ピン１０２の後端面１２８と共に作用して、前方に移動しているボルトキャリア１と線形誘導領域６６内に配置された制御ピン１０２とによって、角運動量がボルト１００に伝達されないようになる。
【００４８】
制御ピン１０２は、半径方向外向きに延びる楔形断面プロファイルを有し、制御ピン６０、及び詳細には線形誘導領域６６及び６８の対応して構築されるレセプタプロファイルにおいて係合する。ここで、ボルト１００は、燕尾ガイド様式の制御ゲート６０における横方向フランク１３０により保持され、ガイドスリーブ５８の傾斜に抗して固定される。ボルト（例えば、後退したブリーチ構成における）は、詳細にはボルトの後端が小さな重なり（図４の位置を参照）でガイドスリーブ内に配置されたときに、偶発的にガイドスリーブ５８からこじり出すことはできない。
【００４９】
ボルトを手順通りに取り出すために、線形誘導領域６８の後端に取り出しウィンドウ７１が設けられ、ここから、ボルト１００のガイドスリーブ５８への転回運動により制御ピン１０２を回転させることができ、ボルト１００をガイドスリーブ５８から前方に向けて取り出すことができるようになる。
【００５０】
撃針チャンネル１１６は、ボルト１００内をボア軸２４に同軸方向で延び、ここで撃針１１８が変位できるように誘導される。撃針１１８は、受け室５９において後端で球状ヘッド１２９と共に収容され、クロスピン１２２によりボルト１内で軸方向に取り付けられる。ボルトキャリア１とボルト１００との間の相対運動では、撃針は、ボルト１と共に移動し、これは前方及び後方に向かうボルト１００と相対的なものである。発砲中、撃針１１８は、撃針開口１２４を通って押し出されて、ボルト１００の前端にてインパクトベース１２６から延び、ここで発砲されることになるカートリッジのベースが位置付けられ、パーカッションキャップを打撃する。引き出し爪１１２がカートリッジの引き出し溝で係合し、バネ付勢圧力ピンにより保持位置に押し込まれる。ここでに、張力は、カートリッジの装填中に圧力ピンが半径方向外向きに回転してカートリッジの後縁を越え、薬室内の所定位置に保持されるカートリッジの引き出し溝に入るように設定される。
【００５１】
ボルト１００上のブリーチラグ１０４は、ロック手順中にレシーバ上でロッキングラグ２０４と共に作用する。ここで、ブリーチラグ１０４は最初にレシーバ２００の陥凹部２０２間に降下され、次いで、制御ゲート６０でロックするための制御フランク６２が制御ピン１０２において係合して当該制御ピンを転回させ、更にレシーバ２００内のロッキングラグ２０４の正面にブリーチラグ１０４を取り込む（ボルト１００が回転される）位置にし、その結果、ブリーチラグの後方に面する端面がロッキングラグ２０４の前方に面する端面２０６に支持され、これによりボルトを線形方向（ボア軸２４の方向）に拘束すなわちロックするようになる。結果として、ボルト１００はまた、銃身（図示せず）の後端に設けられる薬室（図示せず）に対して精密に位置付けられ、該銃身は、堅固で規定位置においてレシーバに接続される。
【００５２】
解除中、制御フランク６４は、ボルト１００に対するボルトキャリア１の相対運動で制御ゲート６０と係合し、制御ピン１０２においては該制御ピンをロック位置外に転回させ、その結果、ボルト１００は、線形方向でレシーバ２００上の陥凹部２０２を通ってブリーチラグ１０４ｈ、ｖと後方に向けて再度取り外すことができるようになる。
【００５３】
ロック及び解除機能を改善するため、ガイドチャンネル２０９（図６ｃを参照）がレシーバ２００内に設けられ、カムセクション２０８（図６及び８を参照）に沿って部分的に延び、全体としてボルト１００上で制御ブリーチラグ１０４ｈ’と共に作用する。
【００５４】
ガイドチャンネル２０９は、図６ｃにおいて破線で描かれた境界間に延びる。ガイドチャンネルは、カムセクション２０８及びロッキングラグ２０４ａによって円周方向で互いに隣接したロッキングラグ２０４ａ及び２０４ｂの互いに面する横方向面２０７ａ及び２０７ｂにより定められる。このようにして定められるガイドチャンネル２０９は、制御セクション１３２及びガイドセクション１１１（図６、７、及び７ａを参照）を介してこれらの横方向フランク１０９ａ及び１０９ｂに沿って制御ブリーチラグ１０４ｈ’を誘導する。
【００５５】
この構成の作用は、主としてカートリッジ引き出し手順を改善し、解除及びロック中に全体の運動シーケンスを円滑できつくないように構成するのに役立つ。
【００５６】
ブリーチ構成が発砲中に受ける正確な機能は、完全運動サイクルにより明確になる。これは図６ａ〜６ｋにおいて概略的に示される。ブリーチラグ１０４又は１０４ｈ’及び１０４ｖそれぞれ、及びロッキングラグ２０４又は２０４ａ、ｂそれぞれは、捩られて解放され、本図において互いに向かって回転される。制御ゲート６０における制御ピン１０２の対応する位置は、クロスハッチングで示される。
【００５７】
Ｉ．発砲
武装兵器では、ブリーチ構成（ボルトキャリア１及びボルト１００）は本体６内の後方位置に配置される。ブリーチバネ（図示せず）がボルトキャリア１の２つのバネ耳７２の領域に装填されて係合され、張力を受けてブリーチバネ耳７２を通過するブリーチバネガイドロッド（図示せず）に載る。ボルトキャリア１は、シアキャッチ７４上に保持される。ボルト１００は解除位置にあり、ガイドトラック１６及び１８によりこの回転位置に維持される。制御ピン１０２は、前方線形誘導領域６６にある。ブリーチ構成が解除されると、シアキャッチ７４が解除され、ブリーチ構成は、ブリーチバネの作用により（矢印の方向で、図６ａから６ｅを参照）前方に迅速に移動する。
【００５８】
ＩＩ．カートリッジフィード（図６ａ）
ここで、フィード突起１０８は、ベルト上でカートリッジの下縁と係合し、ベルトから当該カートリッジを取り外して、レシーバ２００を通過して該レシーバ２００に固定される銃身（図示せず）の薬室内に入るブリーチの更なる運動の間にカートリッジを前方に誘導する。遅くとも、フィード突起１０８がカートリッジベースと衝突すると、ボルト１００は、ボルトキャリア１内に後方に押し込まれる。その際に、制御ピン１０２は、ボルト１に対して制御ゲート６０内に移動し、これは、後方に向けた前方線形誘導領域６６におけることであり、ここで平坦な衝突面７０に衝突する。ブリーチラグ１０４は、レシーバ２００を通過するロッキングラグ２０４間で陥凹部２０２に降下され、その上側面上ではカートリッジ用のフィードランプ２１０があり、これにより当該カートリッジは、銃身の薬室内に更に押し込まれる。これにより制御ブリーチロギングラグ１０４ｈ’は、ガイドチャンネル２０９内に挿入され、横方向フランク２０７ａ、ｂを介し軸方向でガイドチャンネル２０９への横方向フランク１０９ａ、ｂに沿って誘導される。
【００５９】
ＩＩＩ．ブリーチのロック（図６ｂ〜ｄ）
形状がロックされて本体６内のガイドトラック１６、１８から誘導される前進するボルト１００は、ブリーチラグ１０４ｖの前方列と共にガイドトラック１６、１８から出て、最初にレシーバ２００のロッキングラグの後方列を越えて延びる。ボルト１００の更なる前進では、ボルト１００のブリーチラグ１０４ｈの後方列もガイドトラック１６、１８から出る。
【００６０】
これによりボルト１００は、制御ブリーチラグ１０４ｈ’がレシーバ２００内のカムセクション２０８と衝突するまで解除位置のままであり、これらの制御セクション１３２は、角度運動量をボルト１００に伝達し、当該ボルトをブリーチラグ１０４に対してこの場合は時計方向に全回転の約１／３転回させるようになる。その際に、制御ブリーチラグ１０４ｈ’は、ロッキングラグ２０４ａ、ｂ間のガイドチャンネル２０におけるガイド面２０５及びカムセクション２０８を介して制御セクション１３２及びガイドセクション１１１で誘導される。
【００６１】
制御ロッキングラグ２０４ｈ’のカムセクション２０８における制御ブリーチラグ１０４ｈ’の制御セクション１３２の片側衝突により、ボルト１００は、片側上に装填され、ボア軸２４に横断するように偏位し且つ押し込められる傾向となる。
【００６２】
ブリーチラグ１０４間に延びる円筒シャフト面１０５（図１、２、及び５）の外径は、ロッキングラグ２０４（図８参照）の半径方向内向きのヘッド面２０３間のボアｗ（内径）と整列される。具体的には、ロック手順中にボルト１００が偏位して傾斜することができないようになる。或いは、ボルト１００は、ロッキングラグ２０４の対応するヘッド面２０３に接して円筒シャフト面１０５にある。結果として、ボルト１００は、レシーバ２００内に軸方向に導入され、傾斜されず、摩擦による有意な損失もなく前方運動を回転運動に転換して、レシーバ２００内の所定位置にロックされる。
【００６３】
ここで、制御ピン１０２の後方衝突面１０２は、制御ゲート６０における衝突面７０の領域から突出する。制御ゲート６０におけるロック用の制御フランク６２は、制御ピン１０２の対応する制御面と係合してロック手順を開始し、カムセクション２０８と制御セクション１３２間の相対運動により導入される。その際に、制御フランク６２は、制御ピン１０２の対応する制御面にロックするようにされ、これによりボルト１００をロック位置に更に回転させる。
【００６４】
その際に、カートリッジベースは、ボルト１００のインパクトベース１２６上に完全に載り、引き出し爪１１２は、対応する引き出し溝においてカートリッジベースを挿入する。
【００６５】
ボルト１００を更に回転させると、ブリーチラグ１０４はロッキングラグ２０４の前方に到達し、ブリーチラグ１０４の後端面１０６は、完全にロッキングラグ２０４の前方端面２０６の後方にある。その際に、ボルト１００は、更に全回転の約２／３を回転する。ロック面１０６及び２０６は、ボア軸２４に対して自己ロック角で傾斜し、残りのロックは、ブリーチラグ１０４とロッキングラグ２０４との間の低ピッチのある種のスクリュー（前進）運動により生じる。これにより表面結合が自己ロックをもたらす。すなわち、ボルトの軸方向作用は、単独でのロック位置からのブリーチラグ１０４のシフトをもたらさない。
【００６６】
上述のロック手順は、事前制御（カムセクション２０８及び制御セクション１３２、全回転運動の約１／３）及び最終的ロックを極めて円滑に強い反動運動もなく終了する。端面１０６及び２０６の傾斜によりこの手順がより容易になり、内側摩擦抵抗が低減される。カムセクション２０８の傾斜は、制御セクション１３２の傾斜、並びにガイド面２０５及びガイドセクション１１１の傾斜に相当し、制御フランク６２の傾斜又は制御面の傾斜に整合され、両手順が円滑に統合されるよう制御ピン１０２へのフランク又は端面をロックするようにする。ボルトをロックするための制御フランク６２の傾斜角度は、カムセクション２０８の傾斜角度に対して、カムセクション２０８のボルト制御のロック制御フランク６２への移行においてロックされるボルトの回転加速が増大するように選択される。
【００６７】
これにより、制御フランク６２の傾斜角度は、解除用の制御フランク６４の傾斜角度に相当し、制御ピン１０２が制御ゲート６０の長さ全体を通り、特に制御フランク領域６２及び６４を通ってできる限り僅かな遊びで確実に移動できるようにする。
【００６８】
ＩＶ．発砲／カートリッジの排出（図６ｄ）
制御ピン１０２は、ここでは線形誘導領域６８の前端に配置され、ボルト１００自体は、線形方向でレシーバ２００内に位置付けられて円周部でロックされる。ボルトキャリア１は、ボルトに対して前方に移動し、これにより撃針１１８が撃針開口１２４を通って前方に押し出される地点まで撃針チャンネル１１６内で前方に撃針１１８を押し出して、カートリッジを排出する。その際に、制御ピン１０２は、ボルトキャリア１が前端面６１とレシーバの後端面２０１とを衝突させ、前方運動が停止するまで更に前進したブリーチキャリア１に対して後方に向けて線形誘導領域６８内で移動する。結果として、ボルトキャリア１０１とレシーバ２００との間の相対運動が中断される。
【００６９】
発砲後、ボルトは、ピストン４に作用するボルトキャリア１のガス圧によりブリーチバネの作用に抗して後方に向けて押し出され、最初に、ボルト１００に対して後方に向けて移動する（矢印の方向、図６ｆ〜６ｋを参照）。撃針１１８は、球状ヘッド１２０を介して撃針チャンネル１１６に後退して戻る。その際に、制御ピン１０２は、前方に向けて線形誘導領域６８に到達し、解除のため制御フランク６４と係合する（図６ｆ）。
【００７０】
Ｖ．カートリッジの解除及び取り出し（図６ｆ〜６ｈ）
ここで適用される解除運動により、ブリーチラグ１０４がロッキングラグ３２０４の領域外に回転される（図６ｇ）。その際に、インパクトベース１２６とカートリッジシェルベースとの間の圧力が緩和され、引き出し爪１１２は、引き出し溝においてカーリッジシェルを回転させることができる。次いで、ここで回転運動が制御フランク６４と制御ピン１０２との間に適用される。カートリッジシェルは、発砲の結果として膨張（変形）することができ、重心の薬室内で堅固に押し込めることができる。この場合、制御セクション１３２は、解除回転の途中でカムセクションに支持され、軸方向速度が減速されて且つ大きな力で薬室から（図６ｇに示す位置から図６ｈに示す位置まで）カートリッジシェルを引き離す。その際に、制御ブリーチラグ１０４ｈ’は、ロック中と同様に、制御セクション１３２及びガイドセクション１１１においてロッキングラグ２０４ｂ上のカムセクション２０８及びロッキングラグ２０４ａのガイド面２０５を介してガイドチャンネル２０９内に誘導される。
【００７１】
回転運動の完了後、ブリーチラグ１０４は、再びレシーバの陥凹部２０２と整列される。制御ピン１０２は、線形誘導領域６６の前端に押し付けられて、ボルト１００及び解放されたカートリッジシェルと共に、引き出し爪１１２により保持され、ボルトキャリア１から離れて線形的に後方に誘導され、引き続き更に後方に移動する（図６ｉ）。この時点で、ボルト１００及びカートリッジシェルは、薬室及びレシーバ２００から出てくる（図６ｋ）。
【００７２】
更に後方への運動において、ボルト１００はガイドトラック１６及び１８の領域内に再び到達し、エジェクションスロット１１０から延びるエジェクタは、ロッド２内のウィンドウ３を通って兵器から外にカートリッジシェルを押し下げる。更に後退すると、ボルトキャリア１は、ロッド２の延長でボルトキャリア１の下側領域にて配置された、兵器のベースピーアールウエート（図示せず）上の停止ピン７６に衝突する。
【００７３】
ボルトキャリア１の内部では、上記停止ピン７６が機械的バッファ７８により緩衝され、環状バネ構成８０により高度な機械的エネルギーを得て、これにより限定的な反動によるブリーチ構成の運動エネルギーの大部分を円滑に吸収する。トリガーが解除されると、ブリーチ構成はシアキャッチ７４を介して所定位置に再度ロックされ、最後のカートリッジがベルトから発砲された後、ブリーチは依然としてそのロック位置に留まる。
【００７４】
本発明の更なる特徴及び変形形態は、添付の請求項から当業者によって得ることができる。
【符号の説明】
【００７５】
１  ボルトキャリア
６２  ロックフランク
１００  ボルト
１０４  ブリーチラグ
１０２  制御ピン
１０６  後端面
２００  レシーバ
２０４  ロッキングラグ
【図１】
2013519062.tif 000003
【図２】
2013519062.tif 000004
【図３】
2013519062.tif 000005
【図４】
2013519062.tif 000006
【図５】
2013519062.tif 000007
【図６ａ】
2013519062.tif 000008
【図６ｂ】
2013519062.tif 000009
【図６ｃ】
2013519062.tif 000010
【図６ｄ】
2013519062.tif 000011
【図６ｅ】
2013519062.tif 000012
【図６ｆ】
2013519062.tif 000013
【図６ｇ】
2013519062.tif 000014
【図６ｈ】
2013519062.tif 000015
【図６ｉ】
2013519062.tif 000016
【図６ｋ】
2013519062.tif 000017
【図７】
2013519062.tif 000018
【図７ａ】
2013519062.tif 000019
【図８】
2013519062.tif 000020
【手続補正書】
【提出日】平成24年8月2日(2012.8.2)
【手続補正１】
【補正対象書類名】明細書
【補正対象項目名】全文
【補正方法】変更
【補正の内容】
【発明の詳細な説明】
【技術分野】
【０００１】
本発明は、ボルトキャリア及び多くのブリーチラグを有して配置されたボルトと、多くのロッキングラグを有するレシーバとを備えた回転ラグブリーチに関する。
【背景技術】
【０００２】
以下において、上、下、前方、後方、右、及び左などの方向に関する情報は、射手の観点からのエイミング（照準）位置で保持される兵器を基準とする。
【０００３】
回転ラグブリーチの基本的な目的及び基本機能は、発砲されるカートリッジ（弾薬）を銃弾の発射前に銃口又は銃身の薬室に安全に固定することからなる。ここで、発砲されることになるカートリッジが保持されるインパクトベース上のボルトは、取り付けソケットタイプにおいては回転運動によりボルトヘッド内に導入されて固定される。これは、いわゆるレシーバ内で半径方向内向きに配置されたいわゆるロッキングラグによって得られる。
【０００４】
その際に、ブリーチラグは、ボルトヘッド内のロッキングラグ間のギャップを通過し、ボルトヘッドのロッキングラグの列を通って薬室に入る。ボルトヘッドにおいてロッキングラグに対応するボルトギャップもまた形成され、これに沿ってロッキングラグがボルトヘッド内に挿入された後、ボルトがロッキングラグの列を通過することができる。レシーバにおけるボルトのその後の回転運動では、ブリーチラグがロッキングラグの後方に配置され、ブリーチラグの後方に面する端面は、ロッキングラグの後方に面する端面の正面にある。この位置でブリーチがロックされる。カートリッジが発砲されると、結果として生じる反動力が、インパクトベース、ボルト、ブリーチラグ、及びロッキングラグを通って、銃身に堅固に連結されたレシーバ内に向けられる。このようにすることで、発砲中又はその直後にブリーチが望ましくない様態で後方に移動するのが確実に阻止される。
【０００５】
自動小銃では、手動再装弾でなくブリーチ構成により新しい弾薬が導入され、ボルトは通常、ブリーチバネにより前方に押し付けられるボルトキャリア内に配置され、この反動作用の結果として発射ガス及びロッドによりブリーチバネの作用に抗して後方に押し付けられる。従って、ロック及び解除するためのボルトの回転運動は、ボルトキャリアとボルトとの間で動作するゲート制御により得られ、ボルトキャリアの運動よって制御されて、これによりボルトキャリアとボルトとの間の相対運動が誘起される。このブリーチによる基本的方法は、例えば、Ｍａｕｓｅｒ  ＭＧ  ３４、ＭＧ４、及びＨｅｃｋｌｅｒ  ＆  Ｋｏｃｈにより提供されるＳＬＢ２０００から公知である。他の回転ラグブリーチは、ドイツ特許ＤＥ１９６００４５９又は欧州特許ＥＰ０１８８６８１から公知である。
【０００６】
スイス特許ＣＨ５１１３１Ａ１は、ピッチ付きのブリーチ面を提示し且つ側壁上の対応するロック陥凹部に沿って滑動し、従って、ブリーチユニットの解除時には空のカートリッジシェルが排出されるようになった、ロッキングラグを有するストレートプル（直動式）ブリーチを示している。
【０００７】
ドイツ特許ＤＥ４１９８０３Ａは、反動制御される回転ラグブリーチを示しており、ここではロッキングラグが湾曲により回転運動から直線運動に移行される。
【０００８】
ドイツ特許ＤＥ１９６００４５９Ａ１は、回転ヘッドブリーチを示しており、ここでボルトは、列あたりに１２の数のラグがある、長手方向軸線上に列を成した２列のブリーチラグを有し、その横方向フランクがブリーチの長手方向軸線に沿って高ピッチのネジ山を定めている。その結果、レシーバ内でのボルトの解除及びロックにおいて、対角的に構成されたロッキングラグを備える場合、ブリーチラグ及びロッキングラグによりボルトの更なる回転運動が引き起こされ、制御ピンを所定位置にロックし、又はガイドスリーブ（ボルトキャリア）の半径方向又は円周方向に延びる安全溝から解除する
【０００９】
米国特許ＵＳ２，３６４，５４８は、ガス圧作動の回転ヘッドブリーチを示しており、ここではボルト上の２つのロックピンが、レシーバ内のＬ型ロックポケットと共にバヨネットマウントを形成する。２つの制御面でのロックピンの強制ガイドは、超精密な公差を有するレシーバのロックポケットにおける対応するガイド面への取り付け部を提供する。
【００１０】
米国特許ＵＳ２，７７５，９２０は、回転ヘッドブリーチを示しており、ここでは、ピッチを備えた対応するガイド溝及びガイドトラックを介したボルトキャリアとボルトとの間の長手方向の相対運動によってボルトの回転運動が開始される。このようにして開始される回転運動は、レシーバ内の回転ボルトの慣性により終了する。これによるボルトのスクリュー運動は意図していない。
【００１１】
欧州特許ＥＰ０１８８６８１は、長手方向軸線で縦に並んだ２つの列のブリーチラグを有する回転ボルトを用いて、銃身の後縁での半径方向環状面に前進する回転ラグブリーチのブリーチラグへの反動の問題を扱っている。ここで、ブリーチ面の縁部は丸みが付けられ、射手の視点から見たときにボルト面の右手縁部が勾配付きになっている。このボルト面の勾配付けは、反動するブリーチ面に対しての安全間隙をもたらす役割を果たす。
【００１２】
回転ラグブリーチはまた、ブリーチ構成が全ての実質的な推進機能、特に、カートリッジベルトからの弾薬の装弾、空の発砲済みカートリッジシェルの取り出し及び確実な廃棄、並びに見出されるカートリッジ有する弾薬ベルトの移送を実施するマシンガンでも使用される。加えて、各射撃サイクルでは、発砲方向すなわちボア軸の方向と、例えばカートリッジベルト給弾動作において発砲方向を横断する方向で兵器の前後に実質的な質量体が移動する。更に、ボルトは、前後の回転運動を迅速に実施する。これらの運動が高速（高い発砲頻度）で行われる場合、実質的に長手方向又は横断方向、或いは回転方向の加速が生じ、発砲時に兵器が遊動するので手動装弾マシンガンにおいて照準精度が制限される。
【００１３】
しかしながら、発砲速度が低下し、その結果、ブリーチ速度及びこれによる加速が低下した場合、弾薬の再装弾及び給弾のために必要な作動力をもはや確実に加えることができず、兵器が故障する可能性がある。
【先行技術文献】
【特許文献】
【００１４】
【特許文献１】ドイツ特許ＤＥ１９６００４５９公報
【特許文献２】欧州特許ＥＰ０１８８６８１公報
【特許文献３】スイス特許ＣＨ５１１３１Ａ１公報
【特許文献４】ドイツ特許ＤＥ４１９８０３Ａ公報
【特許文献５】ドイツ特許ＤＥ１９６００４５９Ａ１公報
【特許文献６】米国特許ＵＳ２，３６４，５４８明細書
【特許文献７】米国特許ＵＳ２，７７５，９２０明細書
【発明の概要】
【発明が解決しようとする課題】
【００１５】
従って、本発明の目的は、全ての作動力、誘導力、及び制御力をできる限り小さくし、マシンガンの場合でも滑らかな発砲特性が得られ、命中率の改善及び照準精度の向上を可能にするようにしたブリーチ構成を提供することである。詳細には、１つの目的は、回転ラグブリーチに作用する加速及び作動力を低減し、これに伴って改善された回転ラグブリーチを提供することである。
【課題を解決するための手段】
【００１６】
この目的は、請求項１による回転ラグブリーチにより達成される。上記回転ラグブリーチは、銃身の薬室からカートリッジシェルを放出する解除機能が、ボルトとボルトキャリアとの間の相対運動によってのみ制御されるよう設計される。或いは、カムセクションがレシーバ内に生成され、ボルト上で対応して構築された制御セクションと共に作用する。
【００１７】
その結果、解除の途中で、ボルトキャリアとボルト間、或いは、制御ゲートと制御ピンとの間の相対運動の結果として、ボルトの回転運動がレシーバに対するスクリュー（前進）運動に変換され、ここでボルトの制御セクションは、レシーバ上でカムセクションと共に作用し、上記スクリュー運動を制御する。
【００１８】
スクリュー運動は、ボルトをレシーバから前進させて誘導する。その際に、カムセクションは、ボルトが制御セクション上に載る楔として作用し、制御ゲートを介して制御ピンに伝達されるトルクは、転動力に部分的に変換され、これにより変形したカートリッジシェルは、発砲後、緊密に詰め込まれていた場合でもボルトが完全な解除位置まで回転する前に薬室から円滑に放出できるようになり、ボルトキャリアから後方にレシーバの外に線形的に引き寄せられる。この解放機能は多数の利点がある。
１．空の発砲済みカートリッジが線形的に減速運動で薬室から「穏やかに」排出される。
２．カムセクション及び制御ゲートの解除フランクのピッチ又は降下勾配をそれぞれ適切に選択することで、力を増大させ、緊密に詰め込まれ又は重度に変形したカートリッジシェルであっても薬室から取り外すことを可能にするてこ作用を発生させることができる。
３．エキストラクターが主要な引き出し機能において保護され、その寿命が結果として有意に増大する。
【００１９】
引き出し力がカートリッジベースに、及びエキストラクター（引き出し）溝を介してカートリッジシェルに円滑に伝達されるので、戻りブリーチにより強く変形したカートリッジシェルのカートリッジベースが剥離され、カートリッジシェルの一部が薬室内で閉塞するリスクを低減することができる。この態様は、これに応じて備えられた兵器の発砲特性をより有意に円滑にし、これにより信頼性を向上させることができることに寄与する。製造においてより好ましい構成にすることに関して、カムセクションはロッキングラグ上に生成され、対応する制御セクションはブリーチラグ上に生成される。このようにして、この機能をレシーバ又はボルト上で調整することに関して構造を付加することなく得ることができる。
【００２０】
加えて、レシーバ内のカムセクションは、延長ボルトのロック段階中に、ボルトキャリアの制御ゲート内の衝突面に存在する制御ピンを制御設定にまで捩り、ボルトキャリアの制御ゲートが制御ピンを介してボルト上の角運動量を作用させ、これをレシーバに対して更に転回させてロック端部位置にするように配置され構築される。この事前制御機能はまた、機能上の信頼性を向上させ、兵器の処理特性を改善する。
【００２１】
請求項２によれば、ボルトヘッドは、前方領域において円筒シャフト面を介してレシーバ内で軸方向誘導を生じさせ、これは、ロッキングラグの内側に面するヘッド面によるものであり、適切な場合には、解除及びロック手順でボルトヘッドに作用する横方向の力を阻止し、上記ボルトヘッドを支持し、ボルトヘッドが捩れなしでレシーバ及びボルトキャリアに誘導されるようになり、その結果、極めて低いレベルの内部摩擦で全ての制御、事前制御のロック及び解除運動を実施することができる。従って、低速であっても、ブリーチシステムにおいてロッドにより導入されるエネルギーの十分な部分がベルト移送、ベルト取り出し、給弾、並びにシェルの取り出し及び廃棄に利用可能である。
【００２２】
請求項３による態様によれば、ボルトは、ロック手順が適用される前に前進ブリーチによる角運動量を受け取らず、兵器本体において実質的に力無しで対応するガイドトラックを前進することができる。これらのガイドトラックは、これにより例えばボルトの横方向フランク内のブリーチラグ間にギャップにおいて係合する。更に、この態様は、ボルトがレシーバに入ったときに偶然ではなく捩れ確実に押し込められるようにする。これは、特に複数の列を有する回転ラグブリーチで有利であり、これは、このようにしてボルトがロック位置まで回転する前にレシーバ内に完全に確実に挿入できることに起因する。
【００２３】
請求項４〜８による更なる開発は、ブリーチ機能、詳細にはボルトとレシーバ間、又はボルトとボルトキャリア間それぞれ（及び制御ゲートと制御ピンの間）での全体的作用を改善し最適化する他の特性に関する。
【００２４】
請求項４は、ボルトラグ又はブリーチラグそれぞれの全体的に作用する端面の傾斜又はピッチに関する。その際に、最終ロック又は主要解除それぞれは、平面内で生じず、むしろ限定ピッチを有する螺旋トラック上で生じる。これは、解除中、カートリッジを特に信頼性のある方式で薬室内に導入することができ、薬室に対して正確にボルトを位置付けることができる利点を有する。また、ロック運動の終わりでの反動作用がこれらの手段により導入される。
【００２５】
解除の途中で、このタイプの全体的に作用する端面の傾斜は、解除運動中に最初に両端面を互いに分離することができ、インパクトベースをカートリッジベースから分離することができ、その結果、インパクトベースとカートリッジベースとの間の拘束摩擦作用が生じない利点がある。従って、ボルトは、カートリッジシェルの周りでカートリッジの縁部と係合する引き出しクランプと共に移動でき、インパクトベースとカートリッジベースとの間の摩擦力又はロック端面間のこのような摩擦によっても解除運動が阻害されない。すなわち、ボルトは、上記で示されたカムセクション及びカートリッジシェルの制御セクションが薬室からてこの作用で動かされる前に、部分的に解除された位置に到達することができる。
【００２６】
請求項５によるブリーチラグの複数列構成によって、大きなロック面をブリーチ及びボルトラグの端面上に有する、特に小型で細長い回転ラグブリーチ設計が可能になる。
【００２７】
ロック及び解除中にボルトの誘導を更に改善するために、２つの隣接するロッキングラグ間に延びるガイドチャンネルが設けられ、解除及びロック中に制御ブリーチラグで係合するロッキングラグ上の対応する作動面によって定められる。このようにして、制御ブリーチラグは、所定の質量公差、及び適切な場合には基本的遊びを有してガイドチャンネル内に誘導され、ロック中の軸方向運動と回転方向運動との間、又は解除中の回転運動と軸方向運動との間の運動移行が制御ブリーチラグに正確に伝達され、運動移行中の反動作用が相殺されて運動の流れが影響を及ぼさないようになる（請求項６）。
【００２８】
この場合のガイドチャンネルは、２つの隣接するロッキングラグの２つの対面する横方向面によって生成され、一方のロッキングラグ上にカムセクションを、カムセクションに面する他方のロッキングラグ上に対角的に前方に面するガイド面を形成する。この構成により、制御ブリーチラグが２つのガイド面間で常に制御された方式で確実に誘導されるようになる。これは、２つの隣接するロッキングラグの横方向面間、又は一方のロッキングラグ上のカムセクションと、他方のロッキングラグ上のガイド面との間である。このようにして、ロッキング中の既に対処された事前制御の運動及び引き出しスクリュー運動（リフト機能）は、特に確実に良好に制御される（請求項７）。
【００２９】
請求項８による制御ブリーチラグの設計は、この誘導作用を改善する。
【００３０】
請求項９による態様は、最初に、兵器のボルトの誘導を改善し、次に、取り出されたブリーチ構成のボルトが、ボルトの着座位置から前身位置まで偶発的に乱暴にてこ作用を生じさせ、これによりボルトキャリアにおけるボルトの着座に損傷を与えることが確実にできないようにする。
【００３１】
ボルトの上側面上のエジェクタスロットにより分離されるフィード突起は、最初に、カートリッジベルトからカートリッジを解除する間及び薬室内での移送中に対称的カートリッジフィードを許容し、第２に、同時に兵器本体に中央に配置されるエキストラクターを許容し、その結果、対応する排出シャフトを通って正確に垂直下向きにカートリッジシェルを前進させることができる。
【００３２】
請求項１１による、ロッキングラグ間の陥凹部は、本体におけるブリーチ構成の誘導特性を改善し、ボルトがレシーバの外部にあるときにボルトの偶発的な回転運動を阻止する。請求項１２による追加して設けられたローラガイドは、ブリーチ構成全体、特にカートリッジ前進装置との接続において運動特性を改善し、該前進装置は、ブリーチ構成によって動力が得られ、ボルトキャリアと本体間の摩擦力が実質的に低減される。
【図面の簡単な説明】
【００３３】
【図１】前方からの対角的に見た、本発明による回転ラグブリーチを有するブリーチ構成の斜視図である。
【図２】後方から対角的に見た、図１に示すブリーチ構成である。
【図３】ブリーチ誘導構成の領域における兵器本体の断面である。
【図４】図１及び２に示すブリーチ構成を切った長手方向断面である。
【図５】図４に示すブリーチ構成の断面（Ａ−Ａ断面）である。
【図６ａ】ブリーチのロック／解除の連続した機能シーケンスを説明するためのブリーチラグ位置と関連する制御ピン位置の概略図である。
【図６ｂ】ブリーチのロック／解除の連続した機能シーケンスを説明するためのブリーチラグ位置と関連する制御ピン位置の概略図である。
【図６ｃ】ブリーチのロック／解除の連続した機能シーケンスを説明するためのブリーチラグ位置と関連する制御ピン位置の概略図である。
【図６ｄ】ブリーチのロック／解除の連続した機能シーケンスを説明するためのブリーチラグ位置と関連する制御ピン位置の概略図である。
【図６ｅ】ブリーチのロック／解除の連続した機能シーケンスを説明するためのブリーチラグ位置と関連する制御ピン位置の概略図である。
【図６ｆ】ブリーチのロック／解除の連続した機能シーケンスを説明するためのブリーチラグ位置と関連する制御ピン位置の概略図である。
【図６ｇ】ブリーチのロック／解除の連続した機能シーケンスを説明するためのブリーチラグ位置と関連する制御ピン位置の概略図である。
【図６ｈ】ブリーチのロック／解除の連続した機能シーケンスを説明するためのブリーチラグ位置と関連する制御ピン位置の概略図である。
【図６ｉ】ブリーチのロック／解除の連続した機能シーケンスを説明するためのブリーチラグ位置と関連する制御ピン位置の概略図である。
【図６ｊ】ブリーチのロック／解除の連続した機能シーケンスを説明するためのブリーチラグ位置と関連する制御ピン位置の概略図である。
【図７】ボルトの側面図である。
【図７ａ】図７のボルトのブリーチラグの詳細図（詳細部Ｙ）である。
【図８】レシーバの後方及び長手方向断面（Ａ−Ａ）図である。
【発明を実施するための形態】
【００３４】
ここで図面を用いて本発明の例示的な実施形態を説明する。
【００３５】
図に示した例示的な実施形態は、ガス圧ローダとして構築される、図示していないマシンガンのブリーチ構成を示している。図１〜５では、実質的な構成要素は同一と見なすことができる。
【００３６】
ブリーチ構成は、兵器のガス吸入口（図示せず）にロッド２を介して前端にて結合されたボルトキャリア１を備える。ここで、ガス吸入口は、ピストン４の端面にてガス吸入口シリンダ（図示せず）を介してガス圧を生成し、該ピストンがロッド２を介してボルトキャリアに位置力を伝達して、本体６（図３を参照）内の当該ピストンを後方に押し付ける。
【００３７】
本体６（図３を参照）は、ブリーチガイドトラックとしての役割を果たすガイドトラック１２、１４、１６、１８を内部に有する２つの本体ケーシング８、１０によって形成され、ガイドトラックは、本体６においてその前後の運動でボルトキャリア１を誘導する。
【００３８】
これにより、下側ガイドトラック１２、１４は、ボルトキャリア１の左及び右側部上のガイド溝２０及び２２に係合し、該ボルトキャリア１を長手方向軸線上で水平方向に誘導し、すなわち、本体６のボア軸２４（図１及び２を参照）に沿って横断及び垂直軸線で固定される。
【００３９】
前方及び後方左ガイド溝２０と右ガイド溝２２との間にはガイドの無い中間スペース２１が形成されるので、誘導は低度の摩擦を生じ、汚染物質による影響をあまり受けない。爪状にガイドトラック１２及び１４を囲むガイド溝２０、２２により汚染物質が分離されてガイドトラック１２及び１４から除去され、実際の誘導領域に汚染物質が同伴できなくなる。このようにして、実際のガイド面及びこれにより結果として生じる摩擦力もまた最小限に維持される。ガイド溝２０及び２２がボルトキャリア１の前端及び後端にてペアでそれぞれ配置されるので、当該ボルトキャリアは、長さ全体にわたって支持され、傾斜することなく本体に挿入される。
【００４０】
加えて、ボルトキャリア１は、キャリア構成要素の形態でガイドシャフト３２を備えたブリーチ誘導装置３０を上側後端に有し、ガイドシャフト３２は、制御構成要素としての役割を果たす制御ローラ３４をその上端にて回転可能に収容して、ガイド構成要素としての機能を果たし且つボルトキャリア１の側陥凹部２６内に軸方向に挿入されるガイドローラ３６を通過し、側陥凹部２６はまた、ガイドシャフト３２上に回転可能に着座し、且つボルトキャリア１のサイドチークにわたって横方向に延びる。ガイドシャフト３２、制御ローラ３４、及びガイドローラ３６は、ボア軸２４に垂直に延びる対称軸３３に対して動軸方向に配置される。ガイドシャフト３２自体は、ボルトキャリア１のレセプタ開口３８に軸方向に変位可能に着座し、バネ４０により上向きに押し付けられ、レセプタとしての役割を果たすボルトキャリア１内でバネ圧に抗して下向きに押し付けることができる。軸方向位置決め経路は、ガイドシャフト３２の外面上で陥凹部４２により定められ、ここではボルトキャリア１を横方向に通過する保持ピン４４が停止部を形成する。従って、ガイドシャフト３２は、陥凹部４２の上側及び下側衝突面の間で保持ピン４４に抗して変位することができ、これにより、ガイドシャフト３２がバネ４０により上向き及びレセプタ開口３８から外方に押されるのが阻止される。制御ローラ３４は、ガイドシャフト３２の上側端部にてスタッド４６及びスペーサ４８により回転可能に固定される。
【００４１】
図示の例示的な実施形態において、制御ローラ３４（制御構成要素）は、湾曲レバー５０のＵ字制御ゲートにて係合し、これにより制御ローラ３４は、その球状円周面で横アーム５２及び５４の内側フランクに交互に係合する。従って、制御ローラ３４は、前後方向に延びるボルトキャリア１用作動カムとして機能し、ボア軸２４に対して直角で湾曲レバーを前後に移動させ、その結果、カートリッジ前進機構を駆動させる。湾曲レバー５０は、横方向の力を運動方向に応じてアーム５２、５４を介して制御ローラ３４に伝達し、これによりガイドシャフト３２を介してボルトキャリア１に伝達され、該ボルトキャリア１は、横方向の力の結果として本体６に向かって右又は左に傾斜される。これらの横方向の力が軸線２４に沿ったボルトキャリア１の誘導特性及び移動性を制限しないために、ガイドトラック１６及び１８それぞれの上の同様の球状ガイドローラ３６がこれら横方向の荷重を本体６に対して転動しないように伝達する。ガイド溝２０及び２２は、ガイドトラック１２及び１４の傾斜により押し込められない。制御ローラ３４の制御及び移送機能は、本体６におけるボルトキャリア１の運動に対して限定的な減速摩擦作用のみを引き起こすと考えることができる。
【００４２】
球状ローラ３４、３６としてそれぞれのこれらのガイド又は制御構成要素を実施することにより、特に円滑な誘導が確保される。例えば、右アーム５２が、制御フランクを介して左に向けて作用する力を制御ローラ３４の右側に加える場合、ガイドローラ３６は左ガイドトラック１６のガイドフランク上の左側に載っている。すなわち、ローラ３４、３６は、対向するフランクにて反対方向に転動する。ガイドトラック１６及び１８の対向フランクとアーム５２及び５４との間に適切な遊び又は間隔を設けることによって特に円滑なガイドが得られる。ローラ３４、３６の球状の非転動面により、ボルトキャリア１の僅かに傾斜した位置であっても正確な非転動動作が確保され、更にガイドトラック１６、１８のガイドフランク及び湾曲レバー５０の脚部５２、５４の内側フランク上の非転動面との僅かに傾斜した位置で転動する。
【００４３】
湾曲レバー５０は、回転してヒンジ動作可能に開くことができるカバー５６内に配置され、基本的な前進機構（図示せず）に対応する。ガイドシャフト３２は、制御ローラ３４によりバネ４０を介してボルトキャリア１内に格納できるように設計されているので、カバーは、湾曲レバー５０又は制御ローラ３４がこれにより損傷を受ける恐れもなく、任意のブリーチ位置で閉鎖することができる。アーム５２、５４の一方が制御ローラ３４上の端部に達した場合、ガイドシャフト３２と共にボルトキャリア１のレセプタ開口３８に押し込まれることになる。ボア軸２４に沿ったボルトキャリア１の装填運動において、制御ローラ３４の上側端面は、バネ４０作用の結果として制御ローラ３４が湾曲レバー５０のトラック内に再び完全に入るまでアーム５２、５４の一方の下側端面に沿って滑動する。
【００４４】
制御ローラ３４及びガイドローラ３６の転動特性を改善するために、ガイドシャフトの外面及び／又は制御ローラ３４及びガイドローラ３６の内面は、特に円滑な面を呈するようにすることができる（コーティング処理による）。また、好適なローラ軸受により制御ローラ３４及びガイドローラ３６をその一部としてガイドシャフト３２に接続することもできる。他の実施形態（図示せず）では、ローラ軸受は、本体６におけるボルトキャリア１の運動中にガイドトラック１２、１４、１６、１８に対する摩擦抵抗を更に低減するためにガイド溝２０及び２２の領域内に設けてもよい。ローラ（制御ローラ３４、ガイドローラ３６）の代わりに制御／ガイド構成要素を設けて、ガイドシャフト（３２）に対して同様に移動／変位することができるガイドフランク又は湾曲レバーの内側フランクと滑動可能に係合させた実施形態もある。このような構成要素は、ボア軸（２４）にわたって延びる対称平面及び対称軸（３３）に対して、少なくとも折り畳み可能に対称である。
【００４５】
図示のブリーチ構成は、いわゆる回転ラグブリーチを備えており、ここではボルト１００が軸方向に変位可能であり、ロック位置と解除位置との間でボルトキャリア１の上側面上のガイドスリーブ５８で回転できるように収容されている。その前端では、ボルト１００は、縦に並んだ２つの円において４つの前方ブリーチラグ１０４ｖ及び４つの後方ブリーチラグ１０４ｈを支持し、これらは、１時と２時の位置、４時と５時の位置、７時と８時の位置、及び１０時と１１時の位置の間で互いに縦に並んでペア（クロック面の向きの場合）でそれぞれ配置される。ロッキングラグ１０４ｖ、１０４ｈの間には、長手方向に延びる横方向ギャップが設けられ、レシーバ２００におけるロック機能及び本体６内のボルト１００の誘導に役立つ。
【００４６】
図示のブリーチ構成は、オープンボルト兵器用に提供されており、ここではブリーチ構成全体が発砲前に装填されて発砲時に前進する弾薬の後方に配置され、弾薬室／薬室（ここでは図示していない）内に弾薬を送給し、そこでブリーチをロックした後に作動される。
【００４７】
図１、２、４、及び５では、ボルト１００は解除位置にあり、図６ｄ〜ｆではロック位置にある。ブリーチ構成が本体６内で移動すると、ボルト１００は、ロッキングラグ１０４ｖと１０４ｈとの間の２つの横方向ギャップ（９時と３時の時計位置）において延びるガイドトラック１６及び１８により解除位置から意図しない捩れに抗して誘導される。
【００４８】
更に、２つのフィード突起部１０８が、１２時の時計位置のボルト１００の前端に設けられ、これらの突起間にエジェクションスロット１１０が延びる。これらのフィード突起１０８は、カートリッジの給弾に役立ち、本体上に堅固に配置されたエジェクタ図示せず）は、空の発砲済みカートリッジシェルを後方に移動したときに兵器の外に排出する（以下を参照）。フィード突起１０８のペアは、兵器内の弾薬の移送中のカートリッジの安定的な誘導を可能にする。
【００４９】
ボルト１００の回転運動は、下向きに延びる制御ピン１０２（図４、５、及び７を参照）を介して伝達され、ボルトキャリアの制御ゲート６０内に延び、ここでボルトキャリア１に対するボルト１００の相対運動により運動方向及び兵器の作動状態に応じて様々な回転位置に偏位される。ここで、制御ゲート６０は、前方線形誘導領域６６と、後方線形誘導領域６８とを有し、これらは、ロック用の制御フランク６２及び解除用の制御フランク６４を介して互いと統合される。前方線形誘導領域６６の後端では、平坦な衝突面７０がボア軸２４に対して直角で生成され、制御ピン１０２の後端面１２８と共に作用して、前方に移動しているボルトキャリア１と線形誘導領域６６内に配置された制御ピン１０２とによって、角運動量がボルト１００に伝達されないようになる。
【００５０】
制御ピン１０２は、半径方向外向きに延びる楔形断面プロファイルを有し、制御ピン６０、及び詳細には線形誘導領域６６及び６８の対応して構築されるレセプタプロファイルにおいて係合する。ここで、ボルト１００は、燕尾ガイド様式の制御ゲート６０における横方向フランク１３０により保持され、ガイドスリーブ５８の傾斜に抗して固定される。ボルト（例えば、後退したブリーチ構成における）は、詳細にはボルトの後端が小さな重なり（図４の位置を参照）でガイドスリーブ内に配置されたときに、偶発的にガイドスリーブ５８からこじり出すことはできない。
【００５１】
ボルトを手順通りに取り出すために、線形誘導領域６８の後端に取り出しウィンドウ７１が設けられ、ここから、ボルト１００のガイドスリーブ５８への転回運動により制御ピン１０２を回転させることができ、ボルト１００をガイドスリーブ５８から前方に向けて取り出すことができるようになる。
【００５２】
撃針チャンネル１１６は、ボルト１００内をボア軸２４に同軸方向で延び、ここで撃針１１８が変位できるように誘導される。撃針１１８は、受け室５９において後端で球状ヘッド１２９と共に収容され、クロスピン１２２によりボルト１内で軸方向に取り付けられる。ボルトキャリア１とボルト１００との間の相対運動では、撃針は、ボルト１と共に移動し、これは前方及び後方に向かうボルト１００と相対的なものである。発砲中、撃針１１８は、撃針開口１２４を通って押し出されて、ボルト１００の前端にてインパクトベース１２６から延び、ここで発砲されることになるカートリッジのベースが位置付けられ、パーカッションキャップを打撃する。引き出し爪１１２がカートリッジの引き出し溝で係合し、バネ付勢圧力ピンにより保持位置に押し込まれる。ここでに、張力は、カートリッジの装填中に圧力ピンが半径方向外向きに回転してカートリッジの後縁を越え、薬室内の所定位置に保持されるカートリッジの引き出し溝に入るように設定される。
【００５３】
ボルト１００上のブリーチラグ１０４は、ロック手順中にレシーバ上でロッキングラグ２０４と共に作用する。ここで、ブリーチラグ１０４は最初にレシーバ２００の陥凹部２０２間に降下され、次いで、制御ゲート６０でロックするための制御フランク６２が制御ピン１０２において係合して当該制御ピンを転回させ、更にレシーバ２００内のロッキングラグ２０４の正面にブリーチラグ１０４を取り込む（ボルト１００が回転される）位置にし、その結果、ブリーチラグの後方に面する端面がロッキングラグ２０４の前方に面する端面２０６に支持され、これによりボルトを線形方向（ボア軸２４の方向）に拘束すなわちロックするようになる。結果として、ボルト１００はまた、銃身（図示せず）の後端に設けられる薬室（図示せず）に対して精密に位置付けられ、該銃身は、堅固で規定位置においてレシーバに接続される。
【００５４】
解除中、制御フランク６４は、ボルト１００に対するボルトキャリア１の相対運動で制御ゲート６０と係合し、制御ピン１０２においては該制御ピンをロック位置外に転回させ、その結果、ボルト１００は、線形方向でレシーバ２００上の陥凹部２０２を通ってブリーチラグ１０４ｈ、ｖと後方に向けて再度取り外すことができるようになる。
【００５５】
ロック及び解除機能を改善するため、ガイドチャンネル２０９（図６ｃを参照）がレシーバ２００内に設けられ、カムセクション２０８（図６及び８を参照）に沿って部分的に延び、全体としてボルト１００上で制御ブリーチラグ１０４ｈ’と共に作用する。
【００５６】
ガイドチャンネル２０９は、図６ｃにおいて破線で描かれた境界間に延びる。ガイドチャンネルは、カムセクション２０８及びロッキングラグ２０４ａによって円周方向で互いに隣接したロッキングラグ２０４ａ及び２０４ｂの互いに面する横方向面２０７ａ及び２０７ｂにより定められる。このようにして定められるガイドチャンネル２０９は、制御セクション１３２及びガイドセクション１１１（図６、７、及び７ａを参照）を介してこれらの横方向フランク１０９ａ及び１０９ｂに沿って制御ブリーチラグ１０４ｈ’を誘導する。
【００５７】
この構成の作用は、主としてカートリッジ引き出し手順を改善し、解除及びロック中に全体の運動シーケンスを円滑できつくないように構成するのに役立つ。
【００５８】
ブリーチ構成が発砲中に受ける正確な機能は、完全運動サイクルにより明確になる。これは図６ａ〜６ｊにおいて概略的に示される。ブリーチラグ１０４又は１０４ｈ’及び１０４ｖそれぞれ、及びロッキングラグ２０４又は２０４ａ、ｂそれぞれは、捩られて解放され、本図において互いに向かって回転される。制御ゲート６０における制御ピン１０２の対応する位置は、クロスハッチングで示される。
【００５９】
Ｉ．発砲
武装兵器では、ブリーチ構成（ボルトキャリア１及びボルト１００）は本体６内の後方位置に配置される。ブリーチバネ（図示せず）がボルトキャリア１の２つのバネ耳７２の領域に装填されて係合され、張力を受けてブリーチバネ耳７２を通過するブリーチバネガイドロッド（図示せず）に載る。ボルトキャリア１は、シアキャッチ７４上に保持される。ボルト１００は解除位置にあり、ガイドトラック１６及び１８によりこの回転位置に維持される。制御ピン１０２は、前方線形誘導領域６６にある。ブリーチ構成が解除されると、シアキャッチ７４が解除され、ブリーチ構成は、ブリーチバネの作用により（矢印の方向で、図６ａから６ｅを参照）前方に迅速に移動する。
【００６０】
ＩＩ．カートリッジフィード（図６ａ）
ここで、フィード突起１０８は、ベルト上でカートリッジの下縁と係合し、ベルトから当該カートリッジを取り外して、レシーバ２００を通過して該レシーバ２００に固定される銃身（図示せず）の薬室内に入るブリーチの更なる運動の間にカートリッジを前方に誘導する。遅くとも、フィード突起１０８がカートリッジベースと衝突すると、ボルト１００は、ボルトキャリア１内に後方に押し込まれる。その際に、制御ピン１０２は、ボルト１に対して制御ゲート６０内に移動し、これは、後方に向けた前方線形誘導領域６６におけることであり、ここで平坦な衝突面７０に衝突する。ブリーチラグ１０４は、レシーバ２００を通過するロッキングラグ２０４間で陥凹部２０２に降下され、その上側面上ではカートリッジ用のフィードランプ２１０があり、これにより当該カートリッジは、銃身の薬室内に更に押し込まれる。これにより制御ブリーチロギングラグ１０４ｈ’は、ガイドチャンネル２０９内に挿入され、横方向フランク２０７ａ、ｂを介し軸方向でガイドチャンネル２０９への横方向フランク１０９ａ、ｂに沿って誘導される。
【００６１】
ＩＩＩ．ブリーチのロック（図６ｂ〜ｄ）
形状がロックされて本体６内のガイドトラック１６、１８から誘導される前進するボルト１００は、ブリーチラグ１０４ｖの前方列と共にガイドトラック１６、１８から出て、最初にレシーバ２００のロッキングラグの後方列を越えて延びる。ボルト１００の更なる前進では、ボルト１００のブリーチラグ１０４ｈの後方列もガイドトラック１６、１８から出る。
【００６２】
これによりボルト１００は、制御ブリーチラグ１０４ｈ’がレシーバ２００内のカムセクション２０８と衝突するまで解除位置のままであり、これらの制御セクション１３２は、角度運動量をボルト１００に伝達し、当該ボルトをブリーチラグ１０４に対してこの場合は時計方向に全回転の約１／３転回させるようになる。その際に、制御ブリーチラグ１０４ｈ’は、ロッキングラグ２０４ａ、ｂ間のガイドチャンネル２０におけるガイド面２０５及びカムセクション２０８を介して制御セクション１３２及びガイドセクション１１１で誘導される。
【００６３】
制御ロッキングラグ２０４ｈ’のカムセクション２０８における制御ブリーチラグ１０４ｈ’の制御セクション１３２の片側衝突により、ボルト１００は、片側上に装填され、ボア軸２４に横断するように偏位し且つ押し込められる傾向となる。
【００６４】
ブリーチラグ１０４間に延びる円筒シャフト面１０５（図１、２、及び５）の外径は、ロッキングラグ２０４（図８参照）の半径方向内向きのヘッド面２０３間のボアｗ（内径）と整列される。具体的には、ロック手順中にボルト１００が偏位して傾斜することができないようになる。或いは、ボルト１００は、ロッキングラグ２０４の対応するヘッド面２０３に接して円筒シャフト面１０５にある。結果として、ボルト１００は、レシーバ２００内に軸方向に導入され、傾斜されず、摩擦による有意な損失もなく前方運動を回転運動に転換して、レシーバ２００内の所定位置にロックされる。
【００６５】
ここで、制御ピン１０２の後方衝突面１０２は、制御ゲート６０における衝突面７０の領域から突出する。制御ゲート６０におけるロック用の制御フランク６２は、制御ピン１０２の対応する制御面と係合してロック手順を開始し、カムセクション２０８と制御セクション１３２間の相対運動により導入される。その際に、制御フランク６２は、制御ピン１０２の対応する制御面にロックするようにされ、これによりボルト１００をロック位置に更に回転させる。
【００６６】
その際に、カートリッジベースは、ボルト１００のインパクトベース１２６上に完全に載り、引き出し爪１１２は、対応する引き出し溝においてカートリッジベースを挿入する。
【００６７】
ボルト１００を更に回転させると、ブリーチラグ１０４はロッキングラグ２０４の前方に到達し、ブリーチラグ１０４の後端面１０６は、完全にロッキングラグ２０４の前方端面２０６の後方にある。その際に、ボルト１００は、更に全回転の約２／３を回転する。ロック面１０６及び２０６は、ボア軸２４に対して自己ロック角で傾斜し、残りのロックは、ブリーチラグ１０４とロッキングラグ２０４との間の低ピッチのある種のスクリュー（前進）運動により生じる。これにより表面結合が自己ロックをもたらす。すなわち、ボルトの軸方向作用は、単独でのロック位置からのブリーチラグ１０４のシフトをもたらさない。
【００６８】
上述のロック手順は、事前制御（カムセクション２０８及び制御セクション１３２、全回転運動の約１／３）及び最終的ロックを極めて円滑に強い反動運動もなく終了する。端面１０６及び２０６の傾斜によりこの手順がより容易になり、内側摩擦抵抗が低減される。カムセクション２０８の傾斜は、制御セクション１３２の傾斜、並びにガイド面２０５及びガイドセクション１１１の傾斜に相当し、制御フランク６２の傾斜又は制御面の傾斜に整合され、両手順が円滑に統合されるよう制御ピン１０２へのフランク又は端面をロックするようにする。ボルトをロックするための制御フランク６２の傾斜角度は、カムセクション２０８の傾斜角度に対して、カムセクション２０８のボルト制御のロック制御フランク６２への移行においてロックされるボルトの回転加速が増大するように選択される。
【００６９】
これにより、制御フランク６２の傾斜角度は、解除用の制御フランク６４の傾斜角度に相当し、制御ピン１０２が制御ゲート６０の長さ全体を通り、特に制御フランク領域６２及び６４を通ってできる限り僅かな遊びで確実に移動できるようにする。
【００７０】
ＩＶ．発砲／カートリッジの排出（図６ｄ）
制御ピン１０２は、ここでは線形誘導領域６８の前端に配置され、ボルト１００自体は、線形方向でレシーバ２００内に位置付けられて円周部でロックされる。ボルトキャリア１は、ボルトに対して前方に移動し、これにより撃針１１８が撃針開口１２４を通って前方に押し出される地点まで撃針チャンネル１１６内で前方に撃針１１８を押し出して、カートリッジを排出する。その際に、制御ピン１０２は、ボルトキャリア１が前端面６１とレシーバの後端面２０１とを衝突させ、前方運動が停止するまで更に前進したブリーチキャリア１に対して後方に向けて線形誘導領域６８内で移動する。結果として、ボルトキャリア１０１とレシーバ２００との間の相対運動が中断される。
【００７１】
発砲後、ボルトは、ピストン４に作用するボルトキャリア１のガス圧によりブリーチバネの作用に抗して後方に向けて押し出され、最初に、ボルト１００に対して後方に向けて移動する（矢印の方向、図６ｆ〜６ｊを参照）。撃針１１８は、球状ヘッド１２０を介して撃針チャンネル１１６に後退して戻る。その際に、制御ピン１０２は、前方に向けて線形誘導領域６８に到達し、解除のため制御フランク６４と係合する（図６ｆ）。
【００７２】
Ｖ．カートリッジの解除及び取り出し（図６ｆ〜６ｈ）
ここで適用される解除運動により、ブリーチラグ１０４がロッキングラグ３２０４の領域外に回転される（図６ｇ）。その際に、インパクトベース１２６とカートリッジシェルベースとの間の圧力が緩和され、引き出し爪１１２は、引き出し溝においてカーリッジシェルを回転させることができる。次いで、ここで回転運動が制御フランク６４と制御ピン１０２との間に適用される。カートリッジシェルは、発砲の結果として膨張（変形）することができ、重心の薬室内で堅固に押し込めることができる。この場合、制御セクション１３２は、解除回転の途中でカムセクションに支持され、軸方向速度が減速されて且つ大きな力で薬室から（図６ｇに示す位置から図６ｈに示す位置まで）カートリッジシェルを引き離す。その際に、制御ブリーチラグ１０４ｈ’は、ロック中と同様に、制御セクション１３２及びガイドセクション１１１においてロッキングラグ２０４ｂ上のカムセクション２０８及びロッキングラグ２０４ａのガイド面２０５を介してガイドチャンネル２０９内に誘導される。
【００７３】
回転運動の完了後、ブリーチラグ１０４は、再びレシーバの陥凹部２０２と整列される。制御ピン１０２は、線形誘導領域６６の前端に押し付けられて、ボルト１００及び解放されたカートリッジシェルと共に、引き出し爪１１２により保持され、ボルトキャリア１から離れて線形的に後方に誘導され、引き続き更に後方に移動する（図６ｉ）。この時点で、ボルト１００及びカートリッジシェルは、薬室及びレシーバ２００から出てくる（図６ｊ）。
【００７４】
更に後方への運動において、ボルト１００はガイドトラック１６及び１８の領域内に再び到達し、エジェクションスロット１１０から延びるエジェクタは、ロッド２内のウィンドウ３を通って兵器から外にカートリッジシェルを押し下げる。更に後退すると、ボルトキャリア１は、ロッド２の延長でボルトキャリア１の下側領域にて配置された、兵器のベースピーアールウエート（図示せず）上の停止ピン７６に衝突する。
【００７５】
ボルトキャリア１の内部では、上記停止ピン７６が機械的バッファ７８により緩衝され、環状バネ構成８０により高度な機械的エネルギーを得て、これにより限定的な反動によるブリーチ構成の運動エネルギーの大部分を円滑に吸収する。トリガーが解除されると、ブリーチ構成はシアキャッチ７４を介して所定位置に再度ロックされ、最後のカートリッジがベルトから発砲された後、ブリーチは依然としてそのロック位置に留まる。
【００７６】
本発明の更なる特徴及び変形形態は、添付の請求項から当業者によって得ることができる。
【符号の説明】
【００７７】
１  ボルトキャリア
６２  ロックフランク
１００  ボルト
１０４  ブリーチラグ
１０２  制御ピン
１０６  後端面
２００  レシーバ
２０４  ロッキングラグ
【手続補正２】
【補正対象書類名】図面
【補正対象項目名】全図
【補正方法】変更
【補正の内容】
【図１】
2013519062.tif 000021
【図２】
2013519062.tif 000022
【図３】
2013519062.tif 000023
【図４】
2013519062.tif 000024
【図５】
2013519062.tif 000025
【図６ａ】
2013519062.tif 000026
【図６ｂ】
2013519062.tif 000027
【図６ｃ】
2013519062.tif 000028
【図６ｄ】
2013519062.tif 000029
【図６ｅ】
2013519062.tif 000030
【図６ｆ】
2013519062.tif 000031
【図６ｇ】
2013519062.tif 000032
【図６ｈ】
2013519062.tif 000033
【図６ｉ】
2013519062.tif 000034
【図６ｊ】
2013519062.tif 000035
【図７】
2013519062.tif 000036
【図７ａ】
2013519062.tif 000037
【図８】
2013519062.tif 000038
【国際調査報告】
2013519062.tif 000039
2013519062.tif 000040
2013519062.tif 000041
2013519062.tif 000042